(57)【要約】【課題】様々な地面において優れた滑止性能を発揮する釣り用履き物の提供。【解決手段】ブーツ２は、アッパー４、インソール６、ミッドソール８、面ファスナー１０及びアウトソール１２を備えている。アウトソール１２は、上板２８、主部３０、軟質ピン３２及び硬質スパイク３４を備えている。主部３０は、フェルトからなる。主部３０は、スリット６２を備えている。軟質ピン３２の基材は、ゴム又は熱可塑性エラストマーである。軟質ピン３２は、主部３０に収容されている。軟質ピン３２の端面は、主部３０の底面３６に露出している。硬質スパイク３４は、金属材料からなるコアを有する。硬質スパイク３４は、主部３０に収容されている。硬質スパイク３４の先端は、主部３０の底面３６に露出している。【選択図】図１
2010069184.tif 000002
【特許請求の範囲】
【請求項１】
アッパーと、アウトソールとを備えており、
このアウトソールが、フェルトからなり板状である主部と、主部に収容されかつその端面が主部の底面に露出する軟質ピンと、この主部に収容されかつその先端が主部の底面に露出する硬質スパイクとを備えた釣り用履き物。
【請求項２】
上記軟質ピンの基材がゴム又は熱可塑性エラストマーである請求項１に記載の履き物。
【請求項３】
上記スパイクの全体又は一部が金属材料からなる請求項１又は２に記載の履き物。
【請求項４】
上記主部が、この主部の底面から上方に向かって切り込まれ、かつ幅方向に延在するスリットを備えた請求項１から３のいずれかに記載の履き物。
【請求項５】
フェルトからなり板状である主部と、主部に収容されかつその端面が主部の底面に露出する軟質ピンと、この主部に収容されかつその先端が主部の底面に露出する硬質スパイクとを備えたアウトソール。
【発明の詳細な説明】
【技術分野】
【０００１】
本発明は、釣り人に着用されるブーツ、シューズ等の履き物に関する。
【背景技術】
【０００２】
釣りには、ブーツが利用されている。アウトソールが金属スパイクを備えたブーツが、用いられている。このスパイクが地面に突き刺さるとこで、ブーツのスリップが防止される。
【０００３】
アウトソールがゴムからなるブーツも、用いられている。このアウトソールの、岩等の地面との摩擦係数は大きい。このアウトソールは、グリップ性に優れる。このアウトソールによって、ブーツのスリップが防止される。
【０００４】
アウトソールがフェルトからなるブーツも、用いられている。フェルトは、変形能に優れている。このアウトソールは、凹凸のある地面に追従しやすい。フェルトは、吸水性にも優れる。フェルトは、アウトソールと地面との間に水膜を生じさせない。フェルトからなるアウトソールは、滑止性能に優れる。フェルトからなるアウトソールが、特開２００６−２９６６２４公報に開示されている。
【特許文献１】特開２００６−２９６６２４公報
【発明の開示】
【発明が解決しようとする課題】
【０００５】
スパイクは、軟質な地面には突き刺さるが、硬質な岩には突き刺さりにくい。スパイクは、凹凸のある地面には引っ掛かりやすいが、平滑な岩には引っかかり難い。硬質で平滑な地面では、スパイクを有するブーツの滑止性能は不十分である。
【０００６】
ゴムからなるアウトソールが岩と直接に接触する場合、十分なグリップ力が得られる。しかし、アウトソールと岩との間に水膜が介在する場合、グリップ力は不十分である。アウトソールと岩との間に海草、藻等が介在する場合も、グリップ力は不十分である。
【０００７】
フェルトからなるアウトソールでも、アウトソールと岩との間に海草、藻等が介在する場合、滑止性能は不十分である。フェルトは、早期に摩耗する。しかも、このアウトソールでは、偏摩耗が生じやすい。摩耗（又は偏摩耗）が進行したアウトソールは、もはや滑止性能に寄与し得ない。
【０００８】
釣り人は、ターゲットである魚を求めて釣り場を移動する。釣り人の地面の状況は、刻々と変化する。様々な状況において優れた滑止性能を発揮するブーツは、従来は存在していない。本発明の目的は、様々な地面において優れた滑止性能を発揮する釣り用履き物の提供にある。
【課題を解決するための手段】
【０００９】
本発明に係る釣り用履き物は、アッパーとアウトソールとを備える。このアウトソールは、フェルトからなり板状である主部と、主部に収容されかつその端面が主部の底面に露出する軟質ピンと、この主部に収容されかつその先端が主部の底面に露出する硬質スパイクとを備える。
【００１０】
好ましくは、軟質ピンの基材は、ゴム又は熱可塑性エラストマーである。好ましくは、スパイクの全体又は一部は、金属材料からなる。
【００１１】
好ましくは、主部は、この主部の底面から上方に向かって切り込まれ、かつ幅方向に延在するスリットを備える。
【００１２】
本発明に係るアウトソールは、フェルトからなり板状である主部と、主部に収容されかつその端面が主部の底面に露出する軟質ピンと、この主部に収容されかつその先端が主部の底面に露出する硬質スパイクとを備える。
【発明の効果】
【００１３】
本発明に係る釣り用履き物では、主部、軟質ピン及び硬質スパイクのそれぞれが、滑止性能に寄与する。この履き物は、様々な地面において、快適に用いられうる。
【発明を実施するための最良の形態】
【００１４】
以下、適宜図面が参照されつつ、好ましい実施形態に基づいて本発明が詳細に説明される。
【００１５】
図１は、本発明の一実施形態に係る釣り用履き物（ブーツ２）が示された断面図である。このブーツ２は、アッパー４、インソール６、ミッドソール８、面ファスナー１０及びアウトソール１２を備えている。
【００１６】
アッパー４は、フット１４及びレッグ１６を備えている。フット１４は、釣り人の甲に当接する。レッグ１６は、釣り人の脛を包み、脛を保護する。アッパー４は、ブーツ２内への水の浸入を防ぐ。アッパー４は、 典型的には、ポリ塩化ビニルからなる。このアッパー４は、強度及び剛性に優れる。図示されていないが、アッパー４には、その内面に位置する裏地が積層されている。アッパー４が、他の合成樹脂からなってもよい。アッパー４が、ゴムからなってもよい。
【００１７】
インソール６は、板状のベース１８と、このベース１８の周縁においてこのベース１８から起立する側壁２０とを有している。ベース１８は、ミッドソール８の上面に載置されている。ベース１８は、三次元形状を有する。このインソール６は、「カップインソール」と称されている。インソール６は、ポリマー発泡体である。この発泡体の典型的な基材ポリマーは、エチレン−酢酸ビニル共重合体（ＥＶＡ）である。メッシュ状のインソール６が用いられてもよい。
【００１８】
ミッドソール８は、ゴム組成物が架橋されてなる。ミッドソール８には、強度に優れたゴムが用いられる。好ましいゴムとしては、天然ゴム、ポリブタジエン及びスチレン−ブタジエン共重合体が例示される。ミッドソール８は、接着剤によってアッパー４と接合されている。ミッドソール８が、加硫接着によってアッパー４と接合されてもよい。ミッドソール８が合成樹脂からなってもよい。ミッドソール８は、その外縁にリブ２２を備えている。リブ２２は、下向きに垂下している。
【００１９】
面ファスナー１０は、フック面２４とループ面２６とを備えている。フック面２４は、接着剤によってミッドソール８に接合されている。ループ面２６は、接着剤によってアウトソール１２に接合されている。フック面２４がアウトソール１２に接合され、ループ面２６がミッドソール８に接合されてもよい。典型的な面ファスナー１０は、ベルクロ社のマジックテープ（登録商標）である。ミッドソール８のリブ２２は、面ファスナー１０よりも下方にまで延在している。
【００２０】
アウトソール１２は、面ファスナー１０によってミッドソール８と積層されている。アウトソール１２の上部は、リブ２２に囲まれている。リブ２２により、アウトソール１２のミッドソール８からの意図せぬ離脱が防止される。このアウトソール１２は、上板２８、主部３０、軟質ピン３２及び硬質スパイク３４を備えている。
【００２１】
上板２８は、ポリマー発泡体からなる。典型的な基材ポリマーは、エチレン−酢酸ビニル共重合体である。この上板２８に、ループ面２６が接合されている。主部３０は、フェルトからなる。このフェルトでは、多数の繊維が絡み合っている。ナイロン繊維、ポリエステル繊維等が、フェルトに用いられうる。主部３０は、接着剤等の手段によって上板２８に接合されている。主部３０により、ブーツ２の底面３６が形成されている。
【００２２】
図２は、図１のブーツ２のアウトソール１２が示された底面図である。図２から明らかなように、複数の軟質ピン３２がアウトソール１２の全面に分散している。軟質ピン３２の数は、３本以上２５本以下が好ましい。軟質ピン３２の配置は、適宜決定される。サイズの異なる複数種の軟質ピン３２が混在してもよい。図２から明らかなように、複数の硬質スパイク３４がアウトソール１２の全面に分散している。硬質スパイク３４の数は、３本以上２５本以下が好ましい。硬質スパイク３４の配置は、適宜決定される。
【００２３】
図３は、図２のIII−III線に沿った拡大断面図である。図３には、上板２８、主部３０及び軟質ピン３２が示されている。主部３０は、穴３８を備えている。軟質ピン３２は、この穴３８に配置されている。換言すれば、軟質ピン３２は、主部３０に収容されている。軟質ピン３２の端面４０は、主部３０の底面３６に露出している。
【００２４】
図４は、図２のアウトソール１２の軟質ピン３２が示された拡大斜視図である。便宜上、図４では、端面４０が上向きの状態で、軟質ピン３２が示されている。軟質ピン３２の基材は、ゴム又は熱可塑性エラストマーである。典型的な基材は、イソブチレン−イソプレン共重合体（ブチルゴム）である。この軟質ピン３２は、胴４２とフランジ４４とからなる。胴４２とフランジ４４とは、一体的に成形されている。
【００２５】
胴４２は、概して円柱状である。胴４２は、スリット４６を備えている。胴４２が端面４０から軸方向に向かって切り込まれることにより、スリット４６が形成されている。この実施形態では、スリット４６の数は２である。これらのスリット４６は、胴４２のセンターにおいて交差している。胴４２がスリット４６を備えなくてもよい。
【００２６】
図３に示されるように、フランジ４４は上板２８と当接している。フランジ４４は、接着剤等の手段により、上板２８に接合されている。フランジの外縁近傍は、上板２８と主部３０とに挟まれている。
【００２７】
図５は、図２のＶ−Ｖ線に沿った拡大断面図である。図５には、上板２８、主部３０及び硬質スパイク３４が示されている。主部３０は、穴４８を備えている。硬質スパイク３４は、この穴４８に配置されている。換言すれば、硬質スパイク３４は、主部３０に収容されている。硬質スパイク３４の先端５０は、主部３０の底面３６に露出している。
【００２８】
図６は、図２のアウトソール１２の硬質スパイク３４が示された拡大斜視図である。図７は、図６の硬質スパイク３４が示された断面図である。便宜上、図６及び７では、先端５０が上向きの状態で、硬質スパイク３４が示されている。
【００２９】
この硬質スパイク３４は、コア５２とカバー５４とを備えている。コア５２は、ボディ５６と針５８とからなる。ボディ５６と針５８とは、一体的に形成されている。コア５２は、金属材料からなる。典型的な金属材料は、スチールである。
【００３０】
カバー５４は、コア５２を覆っている。カバー５４は、ゴム又は合成樹脂からなる。カバー５４は、フランジ６０を備えている。図５に示されるように、フランジ６０は上板２８と当接している。フランジ６０は、接着剤等の手段により、上板２８に接合されている。フランジ６０の外縁近傍は、上板２８と主部３０とに挟まれている。硬質スパイク３４が、カバー５４を備えなくてもよい。
【００３１】
図８は、図１のブーツ２のアウトソール１２の一部が示された拡大断面図である。図８（ａ）には、釣り人が起立したときのアウトソール１２が示されている。図８（ｂ）には、釣り人が歩行しているときのアウトソール１２が示されている。このアウトソール１２は、主部３０（すなわちフェルト）にスリット６２を備えている。主部３０が底面３６から上方に向かって切り込まれることにより、スリット６２が形成されている。スリット６２の上端６４は、上板２８にまでは至っていない。図２から明らかなように、スリット６２は実質的に幅方向（図２の左右方向）に延在している。スリット６２は、幅方向に対して波状である。この実施形態では、スリット６２の数は５である。
【００３２】
図８（ｂ）に示されるように、歩行によってアウトソール１２が変形する。スリット６２が開きつつ主部３０が変形するので、この変形において生じる応力は小さい。このアウトソール１２は、釣り人の足の変形に容易に追従する。このブーツ２を着用した釣り人の足は、疲れにくい。
【００３３】
前述の通り、軟質ピン３２の端面４０は底面３６に露出している。このブーツ２を着用した釣り人が岩の上を歩行すると、軟質ピン３２が岩に当接する。軟質ピン３２と岩との摩擦係数は大きいので、岩の表面が平滑であっても、この表面をグリップする。従って、ブーツ２のスリップが防止される。
【００３４】
前述の通り、硬質スパイク３４の先端５０は底面３６に露出している。このブーツ２を着用した釣り人が歩行すると、海草等がアウトソール１２と地面との間に介在してしても、硬質スパイク３４がこの海草を突き破って地面に刺さる。従って、ブーツ２のスリップが防止される。
【００３５】
前述の通り、主部３０はフェルトからなる。凹凸のある地面を釣り人が歩行したとき、この凹凸に応じてフェルトが変形する。この変形により、ブーツ２のスリップが防止される。フェルトは吸水性に優れるので、アウトソール１２と地面との間に水膜が生じにくい。これによっても、ブーツ２のスリップが防止される。
【００３６】
釣り人の体重は、軟質ピン３２及び硬質スパイク３４によって支えられる。従って、主部３０にかかる圧力は、小さい。このアウトソール１２では、フェルトの摩耗が抑制される。このアウトソール１２では、偏摩耗も抑制される。スリット６２によって追従性が高められているので、これによっても偏摩耗が抑制される。このアウトソール１２は、長持ちする。
【００３７】
このブーツ２が繰り返し使用されると、アウトソール１２が摩耗する。摩耗の進行したアウトソール１２は、ミッドソール８から引き剥がされる。この引き剥がしは、フック面２４からのループ面２６の分離によってなされる。アウトソール１２及びループ面２６は、廃棄される。そして、新しいアウトソール１２が、ループ面２６と共にフック面２４に接合される。アウトソール１２の交換により、このブーツ２が長期間にわたって使用されうる。このブーツ２は、経済的である。
【００３８】
軟質ピン３２の硬度は、５０以下が好ましい。硬度が５０以下である軟質ピン３２は、変形能に優れる。変形能に優れる軟質ピン３２は、地面を十分にグリップする。この観点から、硬度は４０以下がより好ましく、３５以下が特に好ましい。耐摩耗性の観点から、硬度は２０以上が好ましい。硬度は、「ＪＩＳ  Ｋ  ６２６３」の規定に準拠して、タイプＡのデュロメータで測定される。軟質ピン３２の端面４０にデュロメータが押し付けられることにより、硬度が測定される。
【００３９】
図４において矢印Ｄ１で示されているのは、スリット４６の深さである。深さＤ１は、２ｍｍ以上が好ましい。深さＤ１が２ｍｍ以上である軟質ピン３２は、変形能に優れる。変形能に優れた軟質ピン３２は、地面を十分にグリップする。この観点から、深さＤ１は３ｍｍ以上がより好ましい。変形能の観点から、深さＤ１は胴４２の高さＨの３０％以上が好ましく、４０％以上が特に好ましい。深さＤ１が高さＨと同一であってもよい。
【００４０】
図４において矢印Ｗで示されているのは、スリット４６の幅である。幅Ｗは、０．１ｍｍ以上が好ましい。幅Ｗが０．１ｍｍ以上である軟質ピン３２は、変形能に優れる。変形能に優れた軟質ピン３２は、地面を十分にグリップする。この観点から、幅Ｗは０．２ｍｍ以上がより好ましい。幅Ｗは１ｍｍ以下が好ましい。
【００４１】
スリット４６の数は、１でもよく、３以上でもよい。この数は、軟質ピン３２の変形能が考慮されて、適宜決定される。最も好ましくは、図４に示されるように、軟質ピン３２が互いに直交する２つのスリット４６を備える。軟質ピン３２が十分な変形能を有する場合、スリット４６が形成されなくてもよい。
【００４２】
十分な滑止性能が得られるとの観点から、１つの端面４０の面積は１．０ｍｍ２以上が好ましく、２．０ｍｍ２以上が特に好ましい。履き心地の観点から、この面積は１０ｍｍ２以下が好ましい。１つのアウトソール１２に存在する全ての軟質ピン３２の端面４０の合計面積は、５ｍｍ２以上が好ましく、１０．０ｍｍ２以上が特に好ましい。合計面積は、５０ｍｍ２以下が好ましい。
【００４３】
図７において矢印φで示されているのは、硬質スパイク３４の先端５０の針５８（すなわち金属部分）の太さである。海草等を突き破りやすいとの観点から、太さφは３．０ｍｍ以下が好ましく、２．５ｍｍ以下が好ましい。強度の観点から、太さは０．５ｍｍ以上が好ましい。
【００４４】
図８において矢印Ｄ２で示されているのは、スリット６２の深さである。深さＤ２は、４ｍｍ以上が好ましい。深さＤ２が４ｍｍ以上である主部３０は、追従性に優れる。追従性に優れた主部３０は、偏摩耗しにくい。追従性に優れた主部３０を有するブーツ２は、履き心地に優れる。この観点から、深さＤ２は６ｍｍ以上がより好ましい。深さＤ２は主部３０の厚みＴの４０％以上が好ましく、６０％以上が特に好ましい。深さＤ２が厚みＴと同一であってもよい。
【００４５】
図９は、本発明の他の実施形態に係る釣り用履き物（ブーツ７０）が示された断面図である。このブーツ７０は、アッパー４、インソール６、ミッドソール８及びアウトソール１２を備えている。このブーツ７０は、面ファスナーを備えていない。従って、アウトソール１２はミッドソール８に直接に接合されている。このアウトソール１２の取り替えは、なされ得ない。
【００４６】
このアウトソール１２は、上板２８、主部３０、軟質ピン３２及び硬質スパイク３４を備えている。主部３０はフェルトからなり、スリット６２を備えている。このアウトソール１２でも、主部３０、軟質ピン３２及び硬質スパイク３４によってスリップが抑制される。このアウトソール１２でも、軟質ピン３２、硬質スパイク３４及びスリット６２の相乗効果により、偏摩耗が抑制される。
【産業上の利用可能性】
【００４７】
本発明に係るアウトソールは、ブーツのみならず、シューズ、足袋、ウェーダー等に適用されうる。本発明に係る履き物は、種々の釣り場において利用されうる。
【図面の簡単な説明】
【００４８】
【図１】図１は、本発明の一実施形態に係る釣り用履き物（ブーツ）が示された断面図である。
【図２】図２は、図１のブーツのアウトソールが示された底面図である。
【図３】図３は、図２のIII−III線に沿った拡大断面図である。
【図４】図４は、図２のアウトソールの軟質ピンが示された拡大斜視図である。
【図５】図５は、図２のＶ−Ｖ線に沿った拡大断面図である。
【図６】図６は、図２のアウトソールの硬質スパイクが示された拡大斜視図である。
【図７】図７は、図６の硬質スパイクが示された断面図である。
【図８】図８は、図１のブーツのアウトソールの一部が示された拡大断面図である。
【図９】図９は、本発明の他の実施形態に係る釣り用履き物（ブーツ）が示された断面図である。
【符号の説明】
【００４９】
２、７０・・・ブーツ
４・・・アッパー
６・・・インソール
８・・・ミッドソール
１０・・・面ファスナー
１２・・・アウトソール
２８・・・上板
３０・・・主部
３２・・・軟質ピン
３４・・・硬質スパイク
３８、４８・・・穴
４２・・・胴
４４・・・フランジ
４６・・・スリット
５２・・・コア
５４・・・カバー
６０・・・フランジ
６２・・・スリット
【図１】
2010069184.tif 000003
【図２】
2010069184.tif 000004
【図３】
2010069184.tif 000005
【図４】
2010069184.tif 000006
【図５】
2010069184.tif 000007
【図６】
2010069184.tif 000008
【図７】
2010069184.tif 000009
【図８】
2010069184.tif 000010
【図９】
2010069184.tif 000011